(57)【要約】【課題】  汚れやカビが発生し難い風呂椅子を提供すること。【解決手段】  略筒状の胴部２１と、胴部２１の上面に形成された座面２２とからなる風呂椅子２０の胴部２１における前面の下端部に前部切欠き部２４を設け、後面の上部に後部通気孔２７ａ，２７ｂ，２７ｃを設けた。また、胴部２１における前面の上部に前部通気孔２５ａ，２５ｂを設け、後面の下部に後部切欠き部２６を設けた。さらに、胴部２１の両側面における下部と上部にそれぞれ側部通気孔２８ａ，２８ｂと手掛け孔２９ａ，２９ｂとを設けた。また、座面２２に水抜き孔２３を設けた。【選択図】  図３
2007130201.tif 000002
【特許請求の範囲】
【請求項１】
略筒状の胴部と、前記胴部の上面に形成された座面とからなる風呂椅子であって、前記胴部の一方側における下部側部分と、前記胴部の他方側における上部側部分とに、それぞれ空気通過孔を設けたことを特徴とする風呂椅子。
【請求項２】
前記胴部の一方側に設けられた空気通過孔が、前記胴部の下端部に設けられた水排出用の切欠き部である請求項１に記載の風呂椅子。
【請求項３】
前記胴部の一方が前記風呂椅子の前部側部分であり、前記胴部の他方側が前記風呂椅子の後部側部分である請求項１または２に記載の風呂椅子。
【請求項４】
前記座面に水抜き用の孔が設けられている請求項１ないし３のうちのいずれか一つに記載の風呂椅子。
【請求項５】
前記胴部の両側部のうちの少なくとも一方の側部に手掛け用の孔が設けられている請求項１ないし４のうちのいずれか一つに記載の風呂椅子。
【発明の詳細な説明】
【技術分野】
【０００１】
本発明は、浴室内で用いられる風呂椅子に関する。
【背景技術】
【０００２】
従来から、浴室内には、風呂椅子が設置されている。そして、入浴者が体や頭髪を洗う際には、この風呂椅子をカウンターの前に置き、カウンターの上方に設置された鏡に向った状態で風呂椅子に座る。この風呂椅子として、略筒状の胴部と、胴部の上面に形成された座面とからなり、座面中央に水抜き用の孔が設けられたものがある（例えば、特許文献１参照）。
【特許文献１】特開平１１−４６９１１号公報
【発明の開示】
【０００３】
しかしながら、前述した従来の風呂椅子では、浴室内で発生する湯気や湿気が内部にこもり易いため、内面に汚れやカビが発生し易い。このため、風呂椅子の清掃作業が煩雑になるという問題や、衛生上好ましくないという問題が生じている。
【０００４】
本発明は、前述した問題に対処するためになされたもので、その目的は、汚れやカビが発生し難い風呂椅子を提供することである。
【０００５】
前述した目的を達成するため、本発明に係る風呂椅子の構成上の特徴は、略筒状の胴部と、胴部の上面に形成された座面とからなる風呂椅子であって、胴部の一方側における下部側部分と、胴部の他方側における上部側部分とに、それぞれ空気通過孔を設けたことにある。
【０００６】
このように構成した本発明に係る風呂椅子では、胴部の一方の下部と他方の上部とにそれぞれ空気通過孔が設けられているため、この１組の空気通過孔を介して風呂椅子の内部に空気流が形成される。例えば、風呂椅子が使用される浴室の一方の壁部に、下端部に通気孔が設けられたドアが設置され、浴室の他方の壁部の上部側部分に換気扇が設けられている場合には、ドアの下端部から換気扇が設けられた壁部の上部側部分に向けて浴室内を斜めに横切る空気流が発生する。
【０００７】
したがって、胴部の下部側部分に設けられた空気通過孔をドア側に向け、胴部の上部側部分に設けられた空気通過孔を換気扇が設けられた壁部側に向けた状態で、風呂椅子を浴室の床面に設置した場合には、浴室内に生じる空気流の方向に風呂椅子の空気通過孔の位置が一致するようになり、風呂椅子内に良好な空気流を生じさせることができる。これによって、風呂椅子の内面に汚れやカビが生じることを効果的に抑制できる。
【０００８】
また、本発明に係る風呂椅子の他の構成上の特徴は、胴部の一方側に設けられた空気通過孔が、胴部の下端部に設けられた水排出用の切欠き部であることにある。これによれば、通常、風呂椅子に形成されている水排出用の切欠き部を一方の空気通過孔として用いることができるため、風呂椅子における空気通過孔の形成が容易になる。
【０００９】
本発明に係る風呂椅子のさらに他の構成上の特徴は、胴部の一方が風呂椅子の前部側部分であり、胴部の他方側が風呂椅子の後部側部分であることにある。これによると、風呂椅子の前部下部側部分から風呂椅子の後部上部側部分に向けて空気が流れるようになる。また、風呂椅子の前部側の空気通過孔を水排出用の切欠き部で構成した場合には、風呂椅子内に入った湯水は風呂椅子の前部側から床面の排水孔に向けて流れていく。
【００１０】
本発明に係る風呂椅子のさらに他の構成上の特徴は、座面に水抜き用の孔が設けられていることにある。これによると、風呂椅子の座面上に湯水が溜まることがなくなり、入浴者の使い心地がよくなる。また、水抜き用の孔を、風呂椅子内を通る空気流の出入り口として利用できるため、さらに、風呂椅子の内面に汚れやカビが生じることを効果的に抑制できる。
【００１１】
本発明に係る風呂椅子のさらに他の構成上の特徴は、胴部の両側部のうちの少なくとも一方の側部に手掛け用の孔が設けられていることにある。これによると、風呂椅子を持ち運び易くなる。また、手掛け用の孔を、風呂椅子内を通る空気流の出入り口として利用できるため、さらに、風呂椅子の内面に汚れやカビが生じることを効果的に抑制できる。
【発明を実施するための最良の形態】
【００１２】
以下、本発明の一実施形態を図面を用いて説明する。図１は、同実施形態に係る風呂椅子２０が設置された浴室１０を示している。この浴室１０では、浴室１０と更衣室（図示せず）とを区切る壁部１１の一方側（図１の右側）にドア１２が設けられており、ドア１２の下部には、通気孔１３が設けられている。そして、浴室１０の他方側（奥側）には、浴室１０と外部とを区切る壁部１４が設けられ、この壁部１４に沿って浴槽１５が設置されている。また、壁部１４の上部側部分には換気扇１６が設けられ、壁部１４の中央部には窓部１７が設けられている。そして、壁部１１の下部におけるドア１２と浴槽１５との間の部分には、カウンター（図示せず）が設けられ、そのカウンターの近傍に水栓１８と、水栓１８から延びるシャワー１９とが設けられている。
【００１３】
風呂椅子２０は、図２ないし図４に示したように、横断面形状が略半円形に形成された筒状の胴部２１と、胴部２１の上端部を塞ぐようにして、胴部２１の上端部に形成された座面２２とで構成されている。座面２２の上面は、入浴者の尻部が収まりやすいように、前部から後部にかけて低くなり、後部側部分の縁部が盛り上がった曲面に形成されている。そして、座面２２の略中央に、座面２２上に溜まる湯水を風呂椅子２０内に落下させるための水抜き孔２３が形成されている。
【００１４】
また、胴部２１の前面は、左右方向の中央部がやや窪んだ曲面に形成されており、その下端部に幅広の前部切欠き部２４が形成され、上部中央には、２個の前部通気孔２５ａ，２５ｂが左右に並んで形成されている。また、胴部２１の後面の下端部には、前部切欠き部２４よりも幅が狭く、高さが高くなった後部切欠き部２６が形成され、胴部２１の後面の上部には、３個の後部通気孔２７ａ，２７ｂ，２７ｃが左右に並んで形成されている。
【００１５】
そして、胴部２１の両側面の下部側部分には、側部通気孔２８ａ，２８ｂが形成され、胴部２１の両側面の上部側部分には、手掛け孔２９ａ，２９ｂが形成されている。この場合、前部切欠き部２４と後部通気孔２７ａ，２７ｂ，２７ｃとで１組の空気通気孔が構成され、後部切欠き部２６と前部通気孔２５ａ，２５ｂとで１組の空気通気孔が構成される。さらに、側部通気孔２８ａと手掛け孔２９ｂとで１組の空気通気孔が構成され、側部通気孔２８ｂと手掛け孔２９ａとで１組の空気通気孔が構成される。
【００１６】
この構成において、入浴する際には、換気扇１６を作動させて、図１に矢印で示したように空気流ａを発生させる。そして、入浴者は、浴槽１５内の湯１５ａに浸かったり、カウンターの前で風呂椅子２０に座って体や頭髪を洗ったりする。この場合、浴室１０内は、浴槽１５から立ち上がる湯気で充満されるが、空気流ａによって換気扇１６から外部に放出される。このため、風呂椅子２０の内部にも空気流が生じて、風呂椅子２０の内面に汚れやカビが発生することが抑制される。
【００１７】
また、風呂椅子２０の座面２２上に落下した湯水は、水抜き孔２３を通過して風呂椅子２０内の下部側に落下する。そして、風呂椅子２０の内部に流れた湯水は、前部切欠き部２４や後部切欠き部２６を通過して風呂椅子２０の外部に流れていく。また、風呂椅子２０を移動させる場合には、手掛け孔２９ａ，２９ｂに手を掛けて移動させることができる。
【００１８】
このように、本実施形態に係る風呂椅子２０では、胴部２１の前面における下部と上部、胴部２１の後面における下部と上部および胴部２１の両側面における下部と上部にそれぞれ前部切欠き部２４等からなる空気通過孔を設けたため、風呂椅子２０がどのような向きで置かれた場合であっても、この前部切欠き部２４等からなる空気通過孔を介して風呂椅子２０の内部に空気流が形成される。この空気流によって、風呂椅子２０の内面に汚れやカビが生じるといったことを効果的に抑制できる。この場合、風呂椅子２０に形成される空気通過孔は、それぞれ一方の面の下部側と他方の面の上部側に設けられたもので１組が構成されるため、この１組の空気通過孔の位置を、浴室１０内に生じる空気流ａの方向に沿わせることができる。このため、風呂椅子２０の内面に汚れやカビが生じることをさらに効果的に抑制できる。
【００１９】
また、元々風呂椅子２０に設けられる水抜き孔２３、前部切欠き部２４、後部切欠き部２６および手掛け孔２９ａ，２９ｂを空気通過孔として利用できるため、風呂椅子２０における空気通過孔の形成が容易になる。さらに、風呂椅子２０の座面２２に水抜き孔２３が設けられているため、座面２２に湯水が溜まることがなくなり、入浴者が座るときには、座面２２は水のない状態になっている。このため、入浴者の使い心地がよくなる。また、胴部２１の両側部の上部側に手掛け孔２９ａ，２９ｂが設けられているため、風呂椅子２０の持ち運びがし易くなる。
【００２０】
また、本発明に係る風呂椅子は、前述した実施形態に限定するものでなく、適宜変更して実施することができる。例えば、前述した実施形態では、前部切欠き部２４と後部通気孔２７ａ，２７ｂ，２７ｃ、後部切欠き部２６と前部通気孔２５ａ，２５ｂおよび側部通気孔２８ａと手掛け孔２９ｂからなる３組の空気通気孔が形成されているが、この空気通気孔は最低１組形成されていればよい。
【００２１】
また、空気通気孔を大きくしたり３組以上の空気通気孔を形成してもよいが、空気通気孔を大きくしたり数を多くするほど風呂椅子が強度的に弱くなるため、使用する素材との関係において風呂椅子として十分な強度が確保できるように設定する必要がある。さらに、前述した実施形態では、側部通気孔２８ａ，２８ｂと手掛け孔２９ａ，２９ｂをそれぞれ２個ずつ設けているが、側部通気孔２８ａと手掛け孔２９ｂまたは側部通気孔２８ｂと手掛け孔２９ａのいずれか一方だけを設けてもよい。また、風呂椅子２０の形状や、前部切欠き部２４等の各空気通気孔の形状や大きさ等についても適宜変更することができる。
【図面の簡単な説明】
【００２２】
【図１】本発明の一実施形態に係る風呂椅子が設置された浴室を示した断面図である。
【図２】風呂椅子の前面を示した斜視図である。
【図３】風呂椅子の後面を示した斜視図である。
【図４】風呂椅子の側面を示した斜視図である。
【符号の説明】
【００２３】
２０…風呂椅子、２１…胴部、２２…座面、２３…水抜き孔、２４…前部切欠き部、２５ａ，２５ｂ…前部通気孔、２６…後部切欠き部、２７ａ，２７ｂ，２７ｃ…後部通気孔、２８ａ，２８ｂ…側部通気孔、２９ａ，２９ｂ…手掛け孔。
【図１】
2007130201.tif 000003
【図２】
2007130201.tif 000004
【図３】
2007130201.tif 000005
【図４】
2007130201.tif 000006